(57)【要約】  【課題】ファンユニットの保持部材において、ファンユニットを保持および制振する性能を維持しつつ、ファンユニットを電子機器に取り付ける作業効率を高める技術を提供する。  【解決手段】取り付け孔を有するファンユニットに装着される、ファンユニットの保持部材であって、保持部材は、ファンユニットの隅を覆うように、４つの板部により角を形成している。また、保持部材は、ファンユニットの前面に対向する第１板部およびファンユニットの背面に対向する第２板部には、ファンユニットの取り付け孔に挿入されるボス部が形成されており、さらに、互いに向かい合う部分に切り欠きが形成されている。【選択図】図１
2011176223.tif 000002
【特許請求の範囲】
【請求項１】
取り付け孔を有するファンユニットに装着される、ファンユニットの保持部材であって、
前記ファンユニットの隅を覆うように、４つの板部により角を形成しており、
前記ファンユニットの前面に対向する第１板部および前記ファンユニットの背面に対向する第２板部には、
前記取り付け孔に挿入されるボス部が形成されており、さらに、互いに向かい合う部分に切り欠きが形成されている、
ことを特徴とする保持部材。
【請求項２】
請求項１に記載の保持部材であって、
前記第１板部および第２板部は、三角形の形状である、
ことを特徴とする保持部材。
【請求項３】
請求項１または２に記載の保持部材であって、
前記ボス部は、半円柱の形状である、
ことを特徴とする保持部材。
【請求項４】
請求項１〜３いずれか一項に記載の保持部材であって、
前記ボス部は、上部がテーパ状に形成されている
ことを特徴とする保持部材。
【請求項５】
請求項１〜４いずれか一項に記載の保持部材であって、
前記ファンユニットの側面に対向する第３板部および第４板部は、幅が前記ファンユニットの側面の幅よりも広い、
ことを特徴とする保持部材。
【請求項６】
請求項１〜５いずれか一項に記載の保持部材であって、
弾性部材により一体形成されている、
ことを特徴とする保持部材。
【発明の詳細な説明】
【技術分野】
【０００１】
本発明は、ファンユニットの保持部材に関する。
【背景技術】
【０００２】
車載用のナビゲーション装置、オーディオ装置などの電子機器は、内部の熱源となる部品から発生する熱を電子機器の外部に排出するため、ファンユニットを備えている。このようなファンユニットは、ファンの動作に伴う振動などによって発生する騒音を低減させるため、保持部材（制振部材）を介して電子機器に取り付けられる（例えば、特許文献１）。
【先行技術文献】
【特許文献】
【０００３】
【特許文献１】特開２００８−１２４２５７号公報
【発明の概要】
【発明が解決しようとする課題】
【０００４】
ファンユニットを電子機器に取り付けるための保持部材として、ファンユニットの筐体の４隅それぞれに覆い被せる形状の部材や、ファンユニットの筐体の全体に覆い被せる形状（前面および裏面の一部に開口を有する箱状）の部材、などが考えられる。
【０００５】
例えば、図４に示すように、ファンユニット１の隅に取り付ける保持部材５は、まず、ファンユニット１の４隅それぞれに取り付けられる。それから、その状態のまま、電子機器（不図示）の筐体に固定するための矩形状のブラケット８に嵌め込まれる。そして、ブラケット８は、電子機器の筐体の所定位置に取り付けられる。このようにして、ファンユニット１は、電子機器に取り付けられる。
【０００６】
しかしながら、上記のようなファンユニット１の隅に覆い被せる形状の保持部材５は、ファンユニット１から脱落し易い。そのため、ファンユニット１をブラケット８に的確に嵌め込む作業効率が低下する。
【０００７】
そこで、上記のような脱落の問題を解決するため、例えば、図４に示す保持部材５の内側のファンユニット１と接する面に、ファンユニット１の前面および背面の取り付け孔２に挿入するためのボスを形成することが考えられる。しかし、このような形状とすると、却って、ファンユニット１に保持部材５を装着するのが困難となる。また、金型を用いた射出成形が困難となる。
【０００８】
そこで、本発明は、ファンユニットを保持および制振する性能を維持しつつ、ファンユニットを電子機器に取り付ける作業効率を高める技術を提供することを目的とする。
【課題を解決するための手段】
【０００９】
上記の課題を解決するための本発明の一態様は、取り付け孔を有するファンユニットに装着される、ファンユニットの保持部材であって、前記ファンユニットの隅を覆うように、４つの板部により角を形成しており、前記ファンユニットの前面に対向する第１板部および前記ファンユニットの背面に対向する第２板部には、前記取り付け孔に挿入されるボス部が形成されており、さらに、互いに向かい合う部分に切り欠きが形成されている、ことを特徴とする。
【００１０】
ここで、上記の保持部材であって、前記第１板部および第２板部は、三角形の形状であってもよい。また、上記のいずれかの保持部材であって、前記ボス部は、半円柱の形状であってもよい。また、上記のいずれかの保持部材であって、前記ボス部は、上部がテーパ状に形成されていてもよい。また、上記のいずれかの保持部材であって、前記ファンユニットの側面に対向する第３板部および第４板部は、幅が前記ファンユニットの側面の幅よりも広くてもよい。また、上記のいずれかの保持部材は、弾性部材により一体形成されていてもよい。
【発明の効果】
【００１１】
本発明によれば、ファンユニットを保持および制振する性能を維持しつつ、ファンユニットを電子機器に取り付ける作業効率を高めることができる。
【図面の簡単な説明】
【００１２】
【図１】本発明の一実施形態の保持部材１０の外観を示す斜視図である。
【図２】保持部材１０の側面の外観を示す図である。
【図３】保持部材１０をファンユニット１に取り付けた状態を示す斜視図である。
【図４】ファンユニット１を電子機器に取り付ける手順を説明する図である。
【発明を実施するための形態】
【００１３】
本発明の一実施形態について図面を参照して説明する。
【００１４】
図１は、本発明の一実施形態の保持部材１０の外観を示す斜視図である。図２は、保持部材１０の側面の外観を示す図である。図３は、保持部材１０をファンユニット１に取り付けた状態を示す斜視図である。
【００１５】
本実施形態では、ファンユニット１について、ファンが見える面を「前面」、前面の反対面を「背面」、前面および背面に直交する面を「側面」と呼ぶものとする。また、ファンユニット１には、前面から背面に貫通する取り付け孔２が、４隅に１つずつ形成されているものとする（図３および図４参照）。
【００１６】
図１〜３に示すように、保持部材１０は、ファンユニット１の隅に覆い被せられる形状となっている。保持部材１０は、振動を吸収できる素材で作られる。例えば、熱可塑性エラストマー、熱硬化性エラストマー、ゴムなどの弾性部材で作られる。また、後述するように、保持部材１０は、例えば、金型を用いた射出成形により一体成形される。
【００１７】
保持部材１０についてより詳細に説明する。保持部材１０は、板部２０ａ、板部３０ａ、ボス部４０ａ、板部２０ｂ、板部３０ｂ、ボス部４０ｂを有する。板部２０ａおよび板部２０ｂ、板部３０ａおよび板部３０ｂ、ボス部４０ａおよびボス部４０ｂは、それぞれ同一形状となっている。
【００１８】
板部２０ａおよび板部２０ｂは、矩形状の平板である。板部２０ａおよび板部２０ｂは、直角に連結されており、ファンユニット１の側面の角を覆う角を形成している。幅Ｗ１は、ファンユニット１の側面の幅（短い方の辺の長さ）とおおよそ対応する。幅Ｗ２は、ファンユニット１の側面の幅よりも長い。すなわち、保持部材１０がファンユニット１の隅に取り付けられた際に、板部３０ａおよび板部３０ｂがファンユニット１の前面および背面側に出っ張る。これにより、ファンユニット１がその前面側および背面側に配置される電子機器内の部品等と直接接触しにくくなる。
【００１９】
板部２０ａの一端（Ｙ１側）には、三角形状の平板の板部３０ａが直角に連結されている。板部２０ａおよび板部３０ａは、ファンユニット１の前面もしくは背面と側面により形成される角を覆う角を形成している。また、板部２０ｂの片側（Ｙ２側）には、三角形状の板部３０ｂが直角に連結されている。板部２０ｂおよび板部３０ｂは、ファンユニット１の前面もしくは背面と側面により形成される角を覆う角を形成している。
【００２０】
板部３０ａの内側（Ｙ２側）の面には、内側方向（Ｙ２）に垂直に延びるボス部４０ａが形成されている。また、板部３０ｂの内側（Ｙ１側）の面には、内側方向（Ｙ１）に垂直に延びるボス部４０ｂが形成されている。
【００２１】
ボス部４０ａおよびボス部４０ｂは、保持部材１０がファンユニット１の隅に覆い被せられた際に、ファンユニット１の前面および背面の取り付け孔２（図３および４参照）に挿入される。ボス部４０ａおよびボス部４０ｂにより、保持部材１０は位置決めされるとともに、ファンユニット１に固定される。ボス部４０ａおよびボス部４０ｂは、略半円柱の形状であり、上部分が先細りのテーパ状に形成されている。
【００２２】
ここで、板部３０ａおよび板部３０ｂは、保持部材１０をＹ１もしくはＹ２方向から見た場合に、互いに重ならないように形成されている（図２参照）。すなわち、板部３０ａおよび板部３０ｂは、互いに向かい合う部分に切り欠きが形成されている。このような形状により、金型を用いた射出成形による保持部材１０の一体成形を簡単に行えるようになる。
【００２３】
具体的には、板部２０ａ、板部３０ａ、ボス部４０ａについては、射出成形装置においてＹ１からＹ２側へ抜くことのできる金型により射出成形すればよい。一方、板部２０ｂ、板部３０ｂ、ボス部４０ｂについては、射出成形装置においてＹ２からＹ１側へ抜くことのできる金型により射出成形すればよい。
【００２４】
以上、本発明の一実施形態について説明した。本実施形態によれば、ファンユニットを保持および制振する性能を維持しつつ、ファンユニットを電子機器に取り付ける作業効率を高めることができる。
【００２５】
すなわち、本実施形態では、ファンユニットの隅に覆い被せる保持部材の内側の、ファンユニット１と接する面に、ファンユニットの取り付け孔に挿入されるボス部材を設けている。さらに、保持部材をファンユニットに取り付けた状態で前面もしくは背面から見た場合に、ボス部材が形成された２つの面は、相互に重ならないように切り取られた形状となっている。
【００２６】
上記のような形状により、保持部材をファンユニットにより取り付け易くなるとともに、保持部材がファンユニットから脱落しにくくなる。また、金型を用いた射出成形による保持部材の一体成形を簡単に行えるようになる。
【００２７】
なお、上記の本発明の実施形態は、本発明の要旨と範囲を例示することを意図し、限定するものではない。多くの代替物、修正および変形例が当業者にとって明らかである。
【００２８】
例えば、板部２０ａおよび板部２０ｂの長さをより長くしてもよい。具体的には、板部２０ａおよび板部２０ｂの長さ（Ｗ１もしくはＷ２と直交する方向）を、ファンユニット１の側面の長さＬ（長い方の辺の長さ）のおおよそ半分とすればよい。このようにすれば、ファンユニット１の側面が保持部材１０によりほぼ覆われ、ファンユニット１が他の機器と直接接触しにくくなる。そして、ファンユニット１を保持および制振する性能がより向上する。
【００２９】
また、例えば、ボス部４０ａおよびボス部４０ｂの位置および形状は、取り付け孔２の位置および形状に応じて、適宜変更されてもよい。
【符号の説明】
【００３０】
１：ファンユニット、２：取り付け孔、５：保持部材、８：ブラケット、１０：保持部材、２０ａ：板部、２０ｂ：板部、３０ａ：板部、３０ｂ：板部、４０ａ：ボス部、４０ｂ：ボス部
【図１】
2011176223.tif 000003
【図２】
2011176223.tif 000004
【図３】
2011176223.tif 000005
【図４】
2011176223.tif 000006